(57)【特許請求の範囲】
【請求項１】
スライド型リヤドア（１）を適用した自動車のフロントドア（４）後端外面とリヤドア（１）前端外面との間である見切り部（Ｐ）をシールするために、リヤドアの前端壁の外向き傾斜部（２ａ）に取付けられる見切りシール装置であり、前記見切り部（Ｐ）を中空状の中空シール部（１１）でシールするものとし、その中空シール部とは別に、車内側に、挟込み防止センサー（１５）を挿入することが可能な中空部（１３ａ）を形成したトリム（１３）を一体成形し、且つ該トリムをリヤドア前端壁の外向き傾斜部（２ａ）に固定手段により固定してなる挟込み防止センサー挿入用中空部付き見切りシール装置。
【請求項２】
前記固定手段が位置決めクリップ（２ｂ）と両面テープ（２ｃ）であることを特徴とする請求項１記載の挟込み防止センサー挿入用中空部付き見切りシール装置。
【請求項３】
スライド型リヤドア（１）を適用した自動車のフロントドア（４）後端外面とリヤドア（１）前端外面との間である見切り部（Ｐ）をシールするために、リヤドアの前端壁に形成した取付フランジ（２ｄ）に取付けられる見切りシール装置であり、前記見切り部（Ｐ）を中空状の中空シール部（１１）でシールするものとし、その中空シール部とは別に、車内側に、挟込み防止センサー（１５）を挿入することが可能な中空部（１３ａ）を形成したトリム（１３）を一体成形し、且つ該トリムをリヤドア前端壁の取付フランジに狭持させて取付けてなる挟込み防止センサー挿入用中空部付き見切りシール装置。
【請求項４】
取付フランジ（２ｄ）を、リヤドアインナーパネル（２ｅ）、リヤドアアウターパネル（２ｆ）、またはリヤドアインナーパネル（２ｅ）とリヤドアアウターパネル（２ｆ）の両方で形成してなる請求項３記載の挟込み防止センサー挿入用中空部付き見切りシール装置。
【発明の詳細な説明】
【０００１】
【発明の属する技術分野】
本発明は、主として身障者用あるいは介護用の電動スライドドアを適用した自動車のスライド型リヤドア前端面に取付けられ、リヤドア前部外面とフロントドア後部外面との間に形成される隙間の見切り部をシールすると共に、異物の挟込みを防止する挟込み防止センサーを挿入自在とした見切りシール装置に関するものである。
【０００２】
【従来の技術】
図１乃至図３を参照して説明する。従来、例えば身障者用や介護用の自動車には電動スライド型リヤドア１が取付けられているものがあるが、こうした自動車には、通常、リヤドア１による手等の異物の挟込みを防止するために、リヤドア前端部に挟込み防止センサー１５を挿入する中空部付トリム３０が設けられている。この中空部付トリム３０は、フロントドア４後端部とリヤドア１前端部との間部分である見切り部Ｐより車内側に入り込んだ内方部Ｑで、リヤドア１のフランジ部３にフロントドア４側に突出した状態で取付けられている。
【０００３】
また、こうした自動車においては、リヤドア１の車外側段部２に両面テープ２１を配して見切りシール材２０を取付けて見切り部Ｐをシールし、外観，遮音性および水密性の向上を図っている。
【０００４】
【発明が解決しようとする課題】
しかし、上記した従来の自動車においては、見切りシール材２０と共にセンサー挿入用中空部付トリム３０を取付けているためにリヤドア１とフロントドア４との間に比較的大きなスペースＳを設ける必要がある。センサー挿入用中空部付トリム３０をリヤドア１のフランジ部３に取付けるため、それに必要な空間を必要とするからである。二部品設定であるために、リヤドアを開けた際の自動車の外観が低下したり、センサー挿入用中空部付トリム３０や見切りシール材２０の組付け精度が低下し、それらを改善するための労力およびコストを余分に必要とするといった問題がある。
【０００５】
また、センサー挿入用中空部付トリム３０と見切りシール材２０といった二種類の異なる部材を必要とするので製造コストが嵩み、その取付けや取り扱いも厄介であるといった問題がある。
【０００６】
さらに、センサー挿入用中空部付トリム３０は見切り部Ｐより車内側に入り込んだ内方部Ｑに取付けられているので、見切り部Ｐ近傍に異物が挟込まれた場合、挟込み防止センサー１５がそれを感知することができないといった問題もある。
【０００７】
本発明はこうした問題に鑑み創案されたもので、リヤドア１とフロントドア４との間のスペースＳを小さくすることを可能とし、それにより、自動車の外観を向上させると共に組付け精度を高めて労力やコストを削減でき、また、取付けや取扱いが容易で経済的であり、さらに見切り部Ｐ近傍に挟込まれた異物でも感知することのできる電動スライド型リヤドア用の挟込み防止センサー付き見切りシールを提供することを課題とする。
【０００８】
【課題を解決するための手段】
第一の発明を、図１・図２および図４を参照して説明する。本発明は、スライド型リヤドア１を適用した自動車のフロントドア４後端外面とリヤドア１前端外面との間である見切り部Ｐをシールするために、リヤドア１の前端壁の外向き傾斜部２ａに取付けられる見切りシール装置であり、前記見切り部Ｐを中空状の中空シール部１１でシールするものとし、その中空シール部１１とは別に、車内側に、挟込み防止センサー１５を挿入することが可能な中空部１３ａを形成したトリム１３を一体成形し、且つ該トリム１３をリヤドア前端壁の外向き傾斜部２ａに固定手段にて固定したものである。また、前記固定手段が位置決めクリップ２ｂと両面テープ２ｃであることを特徴とするものである。
【０００９】
第二の発明を、図１・図２および図５乃至図７を参照して説明する。本発明は、スライド型リヤドア１を適用した自動車のフロントドア４後端外面とリヤドア１前端外面との間である見切り部Ｐをシールするために、リヤドア１の前端壁に形成した取付フランジ２ｄに取付けられる見切りシール装置であり、前記見切り部Ｐを中空状の中空シール部１１でシールするものとし、その中空シール部１１とは別に、車内側に、挟込み防止センサー１５を挿入することが可能な中空部１３ａを形成したトリム１３を一体成形し、且つそのトリム１３をリヤドア１前端壁の取付フランジ２ｄに狭持させて取付けてなるものである。
【００１０】
なお、取付フランジ２ｄを、リヤドアインナーパネル２ｅ、リヤドアアウターパネル２ｆ、またはリヤドアインナーパネル２ｅとリヤドアアウターパネル２ｆの両方で形成することができる。
【００１１】
【発明の実施の形態】
第一の発明に係る挟込み防止センサー付き見切りシール装置１０の実施形態を図１・図２および図４に示す。この見切りシール装置１０は、ゴム製で、電動スライド型リヤドア１を適用した自動車のフロントドア４後端外面とリヤドア１前端外面との間である見切り部Ｐをシールするために、リヤドア１の前端壁の外向き傾斜部２ａに、当該リヤドア１の上下方向に沿って取付けている。
【００１２】
そして、見切り部Ｐを、中空状に形成しリップ部１２を突設した中空シール部１１でシールするものとしている。また、その中空シール部１１の車内側に、挟込み防止センサー１５を挿入することが可能な中空部１３ａを有するトリム１３をくびれ部１４を介して一体成形している。挟込み防止センサー１５は、従来技術のものと同様に、弾性材製のチューブ内に少なくとも二本の導線を間隙を開けて配し、異物が挟込まれてチューブが潰れ、導線同士が接触すると作動するようにしている。なお、この見切りシール装置１０の取付けは位置決めクリップ２ｂと両面テープ２ｃ，２ｃとで固定する。
【００１３】
この挟込み防止センサーが挿入される中空部付見切りシール装置１０は、リヤドア１の前端壁の外向傾斜部２ａに取付けているので、リヤドア１とフロントドア４との間のスペースＳを小さくすることができる。図４に示す如くリヤドア１の前端壁に車外側段部２と中空部付トリム用フランジ３が存在するものよりも、車両前後方向の長さＹを少なくすることが出来、フロントドア４及びリヤドア１間のスペースＳを小さくすることができることによって自動車の外観を向上させることができる。また、当該見切りシール装置１０の組付け精度を高めることができ、従来必要であった自動車の外観および組付け精度向上に必要な労力やコストを削減することができる。
【００１４】
また、この見切りシール装置１０のみで見切り部Ｐのシールと挟込み防止といった二つの機能を発揮させるので従来必要であった二種類の部材を一種類に減らすことができる。従って、製造コストを削減でき、取付けや取扱いも容易となる。
【００１５】
さらに、この見切りシール装置１０においては、挟込み防止センサー１５を挿入するトリム（センサー部）１３もリヤドア前端壁の外向き傾斜部２ａに配置しているので、見切り部Ｐ近傍に挟込まれた異物でも感知することができる。
【００１６】
また、実施例では、本発明のシール装置の固定方法として、位置決めクリップと両面テープを並用した例のみを示したが、位置決めクリップのみによる固定でも良いし、両面テープのみによる固定でも良い。また、位置決めクリップと各種接着剤の並用による固定でも良い。また、本発明の実施例では、電動スライド型リヤドアのみの説明をしたが、同様に手動スライド型リヤドアにも適用可能である。
【００１７】
第二の発明に係る挟み込み防止センサー挿入用中空部付き見切りシール装置１０の実施形態を、図１・図２および図５に示す。これは、スライド型リヤドア１を適用した自動車のフロントドア４後端外面とリヤドア１前端外面との間である見切り部Ｐをシールするために、リヤドア１の前端壁に形成した取付フランジ２ｄに取付けられるものである。なお、この見切りシール装置１０の車内側には、シール部材５を設けてフロントドア４とリヤドア１との間のシール性を確保している。
【００１８】
この装置１０は、見切り部Ｐを中空状の中空シール部１１でシールするものとしている。また、その中空シール部１１の車内側に、挟込み防止センサー１５を挿入することが可能な中空部１３ａを有するトリム１３を一体成形している。そして、トリム１３をリヤドア１前端壁の取付フランジ２ｄに狭持させて取付けている。なお、この取付フランジ２ｄは、リヤドアインナーパネル２ｅをフロントドア４側へ折り曲げることによって形成している。
【００１９】
取付フランジ２ｄは、リヤドアインナーパネル２ｅで形成することができる他、リヤドアアウターパネル２ｆのみや（図６参照）、リヤドアインナーパネル２ｅとリヤドアアウターパネル２ｆの両方（図７参照）で形成することができる。
また、この取付フランジ２ｄは、リヤドアインナーパネル２ｅおよびリヤドアアウターパネル２ｆを折り曲げるのみで形成することができるので、成形が容易である。
【００２０】
【発明の効果】
第一の発明（請求項１および２に記載の発明）に係る挟込み防止センサー付き見切りシール装置１０は、リヤドア１の前端壁の外向き傾斜部２ａに取付けているので、リヤドア１とフロントドア４との間のスペースＳを小さくすることができる。これにより、自動車の外観を向上させることができる。また、当該見切りシール装置１０の組付け精度を高めることができ、従来必要であった労力やコストを削減することができる。
【００２１】
また、この見切りシール装置１０のみで見切り部Ｐのシールと挟込み防止といった二つの機能を発揮するので従来必要であった二種類の部材を一種類に減らすことができる。従って、製造コストの削減を図り、取付けや取扱いも容易となり、生産性が大幅に向上する。
【００２２】
さらに、この見切りシール装置１０においては、挟込み防止センサー１５を挿入するセンサーもリヤドア前端壁の外向き傾斜部２ａに配置しているので、見切り部Ｐ近傍に挟込まれた異物でも感知することができる。従って、電動スライドドアの安全性を高めることができる。
【００２３】
第二の発明（請求項３および４に記載の発明）に係る挟込み防止センサー付き見切りシール装置１０は、リヤドア１の前端壁の取付フランジ２ｄに取付けているので、リヤドア１とフロントドア４との間のスペースＳを小さくすることができ、自動車の外観を向上させることができる。また、当該見切りシール装置１０の組付け精度を高めることができ、従来必要であった労力やコストを削減することができる。
【００２４】
また、この見切りシール装置１０のみで見切り部Ｐのシールと挟込み防止といった二つの機能を発揮するので部材を一種類に減らすことができ、製造コストを削減し、取付けや取扱いを容易とし、生産性を高めることができる。
【００２５】
さらに、この見切りシール装置１０においては、挟込み防止センサー１５を挿入するセンサーもリヤドア１前端壁に配置しているので、見切り部Ｐ近傍に挟込まれた異物でも感知することができ、電動スライドドアの安全性を高めることができる。
【図面の簡単な説明】
【図１】  電動スライド型リヤドアを適用した自動車を示す側面図である。
【図２】  図１の平面図である。
【図３】  従来技術を示すもので、図１におけるＡ−Ａ線断面図である。
【図４】  第一の発明の実施形態を示すもので、図１におけるＡ−Ａ線断面図である。
【図５】  第二の発明の実施形態を示すもので、図１におけるＡ−Ａ線断面図である。
【図６】  第二の発明における他の実施形態を示すもので、図１におけるＡ−Ａ線断面図である。
【図７】  第二の発明におけるさらに他の実施形態を示すもので、図１におけるＡ−Ａ線断面図である。
【符号の説明】
１      リヤドア
２      車外側段部
２ａ    外向き傾斜部
２ｂ    位置決めクリップ
２ｃ    両面テープ
２ｄ    取付フランジ
２ｅ    リヤドアインナーパネル
２ｆ    リヤドアアウターパネル
３      フランジ部
４      フロントドア
５      シール部材
１０    挟込み防止センサー付き見切りシール装置
１１    中空シール部
１２    リップ部
１３    トリム（センサー部）
１３ａ  中空部
１４    くびれ部
１５    挟込み防止センサー
２０    見切りシール材
２１    両面テープ
３０    中空部付トリム
Ｐ      見切り部
Ｑ      内方部
Ｓ      スペース
【図１】
0003834755.tif 000002
【図２】
0003834755.tif 000003
【図３】
0003834755.tif 000004
【図４】
0003834755.tif 000005
【図５】
0003834755.tif 000006
【図６】
0003834755.tif 000007
【図７】
0003834755.tif 000008